(57)【特許請求の範囲】
【請求項１】
電動モータが外殻の内部に収容されており、前記外殻の外部の電源に電気的に接続された外側導電部材が前記外殻を貫通しており、前記電動モータに電気的に接続された内側導電部材と前記外側導電部材とがコネクタに連結されており、前記コネクタは、樹脂製の収納器に収納されている電動圧縮機において、
前記収納器は、第１ケース部材と第２ケース部材とからなり、
前記第１ケース部材と前記第２ケース部材との間には第１シール部材と第２シール部材とが介在されており、
前記第１ケース部材は、環状の第１対向シール面を有し、
前記第２ケース部材は、前記第１対向シール面に対向する環状の第２対向シール面を有し、
前記第１シール部材は、前記第１対向シール面に接合する環状の第１主シール部を備えており、
前記第２シール部材は、前記第２対向シール面に接合する環状の第２主シール部を備えており、
前記第１主シール部と前記第２主シール部とは、前記第１シール部材と前記第２シール部材とを重ね合わせた状態では、前記内側導電部材を貫通させてシールするシール筒部を形成し、
前記外殻に形成された挿入孔には基板が固定されており、前記基板には絶縁筒が貫通して固定されており、前記絶縁筒には前記外側導電部材が挿通して固定されており、
前記収納器には、前記絶縁筒を挿通させる筒部が一体形成されているとともに、前記筒部の先端が前記基板に当接しており、
前記筒部には、前記絶縁筒の周囲をシールする筒状の第３シール部材が嵌入されている電動圧縮機。
【請求項２】
前記コネクタ、前記外側導電部材及び前記内側導電部材は、複数組存在し、前記第１シール部材は、前記収納器内部において隣り合う前記コネクタを互いにシールするための第１相間シール部を備えており、前記第２シール部材は、隣り合う前記コネクタを互いにシールするための第２相間シール部を備えており、前記第１相間シール部は、前記第１主シール部に連結しており、前記第２相間シール部は、前記第２主シール部に連結している請求項１に記載の電動圧縮機。
【請求項３】
前記第１ケース部材は、前記筒部を備えている請求項１及び請求項２のいずれか１項に記載の電動圧縮機。
【請求項４】
前記第１シール部材と前記第２シール部材とは、別体である請求項１乃至請求項３のいずれか１項に記載の電動圧縮機。
【請求項５】
前記第１主シール部は、前記シール筒部の対辺となる第１辺シール部と、前記シール筒部を形成する第１半割シール部の一端部と前記第１辺シール部の一端部とを連結する第１側シール部と、前記第１半割シール部の他端部と前記第１辺シール部の他端部とを連結する第２側シール部とを備えており、
前記第２主シール部は、前記シール筒部の対辺となる第２辺シール部と、前記シール筒部を形成する第２半割シール部の一端部と前記第２辺シール部の一端部とを連結する第３側シール部と、前記第２半割シール部の他端部と前記第２辺シール部の他端部とを連結する第４側シール部とを備えている請求項１乃至請求項４のいずれか１項に記載の電動圧縮機。
【請求項６】
前記第１ケース部材と前記第２ケース部材との一方は、被掛け止め片を備え、他方は、前記被掛け止め片に係止される掛け止め片を備え、
前記第１側シール部には前記被掛け止め片に引っ掛けられる第１掛け止め片が設けられており、前記第２側シール部には前記被掛け止め片に引っ掛けられる第２掛け止め片が設けられており、
前記第３側シール部には前記掛け止め片に引っ掛けられる第３掛け止め片が設けられており、前記第４側シール部には前記掛け止め片に引っ掛けられる第４掛け止め片が設けられている請求項５に記載の電動圧縮機。
【発明の詳細な説明】
【技術分野】
【０００１】
本発明は、電動モータが外殻の内部に収容されていると共に、外殻の外部の電源に電気的に接続されている電動圧縮機に関する。
【背景技術】
【０００２】
この種の電動圧縮機では、外殻の外部の電源に電気的に接続された外側導電部材が外殻を貫通しており、電動モータに電気的に接続された内側導電部材と外側導電部材とが外殻の内部で電気的に接続されている。
【０００３】
圧縮機の運転停止状態が長時間にわたると、圧縮機内部（外殻の内部）に残留した冷媒ガスが冷却されて液化し、液化した冷媒（液冷媒）が圧縮機内部に溜まる場合がある。内側導電部材は、絶縁皮膜によって被覆されているが、外殻の内部で電気的に接続されている内側導電部材と外側導電部材との接続部が液冷媒に浸漬すると、漏電するおそれがある。
【０００４】
特許文献１に開示されている電動圧縮機では、モータリード線（内側導電部材）が接続バネ端子に結合されており、外側導電部材が密閉外皮（外殻）内で接続バネ端子に差し込み結合されている。密閉外皮（外殻）内の接続バネ端子は、熱収縮性絶縁外皮によって被覆されている。圧縮機の運転による加熱により熱収縮する熱収縮性絶縁外皮は、密閉外皮内での導電部材と液冷媒との接触を抑制する役割を果たす。
【先行技術文献】
【特許文献】
【０００５】
【特許文献１】特開平５−２５６２６１号公報
【発明の概要】
【発明が解決しようとする課題】
【０００６】
しかし、熱収縮性絶縁皮膜の熱収縮によるシール性は低く、密閉外皮内での漏電を確実に防止できる保障はない。熱硬化性樹脂（例えばエポキシ樹脂）によって接続バネ端子を被覆した後に加熱して熱硬化性樹脂を硬化させることによってシール性を高めることができるが、手間が掛かりすぎる。
【０００７】
本発明は、簡易な構成で外殻内での内側導電部材と外側導電部材との接続部におけるシール性を向上することができる電動圧縮機を提供することを目的とする。
【課題を解決するための手段】
【０００８】
本発明は、電動モータが外殻の内部に収容されており、前記外殻の外部の電源に電気的に接続された外側導電部材が前記外殻を貫通しており、前記電動モータに電気的に接続された内側導電部材と前記外側導電部材とがコネクタに連結されており、前記コネクタは、樹脂製の収納器に収納されている電動圧縮機を対象とし、請求項１の発明では、前記収納器は、第１ケース部材と第２ケース部材とからなり、前記第１ケース部材と前記第２ケース部材との間には第１シール部材と第２シール部材とが介在されており、前記第１ケース部材は、環状の第１対向シール面を有し、前記第２ケース部材は、前記第１対向シール面に対向する環状の第２対向シール面を有し、前記第１シール部材は、前記第１対向シール面に接合する環状の第１主シール部を備えており、前記第２シール部材は、前記第２対向シール面に接合する環状の第２主シール部を備えており、前記第１主シール部と前記第２主シール部とは、前記第１シール部材と前記第２シール部材とを重ね合わせた状態では、前記内側導電部材を貫通させてシールするシール筒部を形成し、前記外殻に形成された挿入孔には基板が固定されており、前記基板には絶縁筒が貫通して固定されており、前記絶縁筒には前記外側導電部材が挿通して固定されており、前記収納器には、前記絶縁筒を挿通させる筒部が一体形成されているとともに、前記筒部の先端が前記基板に当接しており、前記筒部には、前記絶縁筒の周囲をシールする筒状の第３シール部材が嵌入されている。
【０００９】
収納器を構成する第１ケース部材と前記第２ケース部材とは、第１シール部材と第２シール部材とを介して連結されており、絶縁筒の周囲が第３シール部材によってシールされている。つまり、収納器内のシール性が第１，２，３シール部材の介在によって高められている。そのため、液冷媒が収納器内に侵入することはなく、収納器の内部にあるコネクタに液冷媒が接触することはない。収納器内のシール性は、第１，２シール部材を間に置いて第１ケース部材と第２ケース部材とを重ねると共に、筒部に第３シール部材を嵌入するという簡単な手間で得られる。
【００１０】
好適な例では、前記コネクタ、前記外側導電部材及び前記内側導電部材は、複数組存在し、前記第１シール部材は、前記収納器内部において隣り合う前記コネクタを互いにシールするための第１相間シール部を備えており、前記第２シール部材は、隣り合う前記コネクタを互いにシールするための第２相間シール部を備えており、前記第１相間シール部は、前記第１主シール部に連結しており、前記第２相間シール部は、前記第２主シール部に連結している。
【００１１】
相間シール部は、異なる相導電体間の漏電を防止する。
好適な例では、前記第１ケース部材は、前記筒部を備えている。
好適な例では、前記第１シール部材と前記第２シール部材とは、別体である。
【００１２】
このような別体構成は、第１シール部材及び前記第２シール部材の製造を容易にする。
好適な例では、前記第１主シール部は、前記シール筒部の対辺となる第１辺シール部と、前記シール筒部を形成する第１半割シール部の一端部と前記第１辺シール部の一端部とを連結する第１側シール部と、前記第１半割シール部の他端部と前記第１辺シール部の他端部とを連結する第２側シール部とを備えており、前記第２主シール部は、前記シール筒部の対辺となる第２辺シール部と、前記シール筒部を形成する第２半割シール部の一端部と前記第２辺シール部の一端部とを連結する第３側シール部と、前記第２半割シール部の他端部と前記第２辺シール部の他端部とを連結する第４側シール部とを備えている。
【００１３】
好適な例では、前記第１ケース部材と前記第２ケース部材との一方は、被掛け止め片を備え、他方は、前記被掛け止め片に係止される掛け止め片を備え、前記第１側シール部には前記被掛け止め片に引っ掛けられる第１掛け止め片が設けられており、前記第２側シール部には前記被掛け止め片に引っ掛けられる第２掛け止め片が設けられており、前記第３側シール部には前記掛け止め片に引っ掛けられる第３掛け止め片が設けられており、前記第４側シール部には前記掛け止め片に引っ掛けられる第４掛け止め片が設けられている。
【００１４】
このような掛け止め構造は、収納器に対する第１，２シール部材の精度の良い位置決めを可能にする。
【発明の効果】
【００１５】
本発明の電動圧縮機は、簡易な構成で外殻内での内側導電部材と外側導電部材との接続部におけるシール性を向上することができる。
【図面の簡単な説明】
【００１６】
【図１】第１の実施形態を示す圧縮機全体の側断面図。
【図２】部分拡大側断面図。
【図３】（ａ）は、図２のＡ−Ａ線断面図。（ｂ）は、図２のＢ−Ｂ線断面図。（ｃ）は、図２のＣ−Ｃ線断面図。
【図４】（ａ）は、収納器の分解平面図。（ｂ）は、第１シール部材、第２シール部材及びコネクタの平面図。
【図５】収納器の分解斜視図。
【図６】第１シール部材及び第２シール部材の斜視図。
【図７】第１シール部材及び第２シール部材の斜視図。
【図８】（ａ）は、第１シール部材を装着した第１ケース部材の斜視図。（ｂ）は、第２シール部材を装着した第２ケース部材の斜視図。
【図９】別の実施形態を示す斜視図。
【図１０】別の実施形態を示す斜視図。
【図１１】別の実施形態を示す斜視図。
【発明を実施するための形態】
【００１７】
以下、本発明を具体化した第１の実施形態を図１〜図８に基づいて説明する。
図１に示す電動圧縮機１０は、スクロール型電動圧縮機である。電動圧縮機１０の外殻１４は、モータハウジング２６と、モータハウジング２６の前端に連結されたフロントハウジング２７とから構成されている。
【００１８】
電動モータＭを構成する回転子１１は、回転軸１２に止着されており、電動モータＭを構成する固定子１３は、モータハウジング２６の内周面に嵌合して固定されている。電動圧縮機１０を構成する可動スクロール１５は、電動モータＭを構成する回転軸１２の回転によって旋回し、可動スクロール１５と固定スクロール１６との間の圧縮室１７が容積減少する。
【００１９】
モータハウジング２６には導入ポート２６１が設けられている。導入ポート２６１は、図示しない外部冷媒回路に接続されており、外部冷媒回路から冷媒（ガス）が導入ポート２６１を介してモータハウジング２６内へ導入される。モータハウジング２６内へ導入された冷媒は、可動スクロール１５の旋回（吸入動作）によって、モータハウジング２６の内周面と固定子１３の外周面との間の通路〔図示略〕及び吸入ポート１８を経由して圧縮室１７へ吸入される。圧縮室１７内の冷媒は、可動スクロール１５の旋回（吐出動作）によって、圧縮されながら吐出ポート１９から吐出弁２０を押し退けて、フロントハウジング２７内の吐出室２１へ吐出される。吐出室２１内の冷媒は、フロントハウジング２７に形成された排出ポート２７１から外部冷媒回路へ流出してモータハウジング２６内へ還流する。
【００２０】
電動モータＭを構成する固定子１３は、環状のステータコア２２と、ステータコア２２に施されたコイル２３とからなる。
電動モータＭを構成する回転子１１は、ロータコア２４と、ロータコア２４内に埋設された複数の永久磁石２５とからなる。ロータコア２４の中心部には軸孔２４１が貫設されており、軸孔２４１には回転軸１２が通されて固定されている。
【００２１】
モータハウジング２６の外周面にはカバー２８が止着されている。カバー２８の上壁２８１の内壁面には電源としてのインバータ２９が取り付けられている。カバー２８によって被覆されるモータハウジング２６の被覆周面には挿入孔３０が貫設されている。
【００２２】
図２に示すように、挿入孔３０は、モータハウジング２６の外周面側の大径部３０１と、モータハウジング２６の内周面側の小径部３０２と、大径部３０１と小径部３０２との段差３０３とからなる。大径部３０１には基板３１及びサークリップ３２が段差３０３と接するように嵌入されており、基板３１の周面と大径部３０１の周面との間にはシールリング３３が設けられている。サークリップ３２は、大径部３０１からの基板３１の離脱を阻止し、シールリング３３は、基板３１の周面に沿った冷媒洩れを防止する。
【００２３】
基板３１には絶縁体製（例えばガラス製）の３本の絶縁筒３４Ｕ，３４Ｖ，３４Ｗが貫通して固定されており、各絶縁筒３４Ｕ，３４Ｖ，３４Ｗには外側導電部材としての導電ピン３５Ｕ，３５Ｖ，３５Ｗが挿通して固定されている。導電ピン３５Ｕ，３５Ｖ，３５Ｗの一端部は、絶縁筒３４Ｕ，３４Ｖ，３４Ｗから外殻１４外部に突出しており、導電ピン３５Ｕ，３５Ｖ，３５Ｗの他端部は、絶縁筒３４Ｕ，３４Ｖ，３４Ｗから外殻１４内部に突出している。外殻１４外部における各導電ピン３５Ｕ，３５Ｖ，３５Ｗの外部端部は、導電線３６Ｕ，３６Ｖ，３６Ｗを介してインバータ２９〔図１参照〕に電気的に接続されている。
【００２４】
図１に示すコイル２３は、Ｕ相コイルとＶ相コイルとＷ相コイルとからなり、各相コイルの引き出し線が端子３８に電気的に接続されている。図１に示す引き出し線３７は、各相コイルの引き出し線のうちの１つを示す。端子３８には内側導電部材３９Ｕ，３９Ｖ，３９Ｗが電気的に接続されている。
【００２５】
図２に示すように、内側導電部材３９Ｕ，３９Ｖ，３９Ｗは、芯線３９１と、芯線３９１を被覆する絶縁皮膜３９２とによって構成されている。内側導電部材３９Ｕ，３９Ｖ，３９Ｗの芯線３９１は、コネクタ４０Ｕ，４０Ｖ，４０Ｗに連結されており、外殻１４内部における各導電ピン３５Ｕ，３５Ｖ，３５Ｗの内部端部は、コネクタ４０Ｕ，４０Ｖ，４０Ｗに連結されている。コネクタ４０Ｕ，４０Ｖ，４０Ｗは、金属製であり、内側導電部材３９Ｕ，３９Ｖ，３９Ｗの芯線３９１と各導電ピン３５Ｕ，３５Ｖ，３５Ｗの内部端部とは、コネクタ４０Ｕ，４０Ｖ，４０Ｗを介して電気的に接続されている。コネクタ４０Ｕ，４０Ｖ，４０Ｗは、収納器４１に収納されている。
【００２６】
導電ピン３５Ｕ、内側導電部材３９Ｕ及びコネクタ４０Ｕは、Ｕ相導電体を構成する。導電ピン３５Ｖ、内側導電部材３９Ｖ及びコネクタ４０Ｖは、Ｖ相導電体を構成し、導電ピン３５Ｗ、内側導電部材３９Ｗ及びコネクタ４０Ｗは、Ｗ相導電体を構成する。インバータ２９から導電ピン３５Ｕ，３５Ｖ，３５Ｗ、コネクタ４０Ｕ，４０Ｖ，４０Ｗ及び内側導電部材３９Ｕ，３９Ｖ，３９Ｗを介してコイル２３へ電力供給が行なわれると、回転子１１及び回転軸１２が一体的に回転する。
【００２７】
図３（ｂ），（ｃ）に示すように、収納器４１は、樹脂製の第１ケース部材４２と、樹脂製の第２ケース部材４３とから構成されている。第１ケース部材４２と第２ケース部材４３との間にはゴム製の矩形枠形状の第１シール部材４４及びゴム製の矩形枠形状の第２シール部材４５が介在されている。図３（ａ）に示すように、第１ケース部材４２には筒部４２１Ｕ，４２１Ｖ，４２１Ｗが一体形成されており、筒部４２１Ｕ，４２１Ｖ，４２１Ｗにはゴム製の筒状の第３シール部材４６Ｕ，４６Ｖ，４６Ｗが嵌入されている。筒状の第３シール部材４６Ｕ，４６Ｖ，４６Ｗの筒内は、収納器４１内に連通しており、導電ピン３５Ｕ，３５Ｖ，３５Ｗが筒状の第３シール部材４６Ｕ，４６Ｖ，４６Ｗの筒内に嵌入されている。
【００２８】
図４（ａ）は、収納器４１の分解平面図を示し、図４（ｂ）は、第１シール部材４４、第２シール部材４５及びコネクタ４０Ｕ，４０Ｖ，４０Ｗの平面図を示す。図５は、収納器４１の分解斜視図を示す。
【００２９】
図５に示すように、第１ケース部材４２は、矩形形状に形成されており、矩形形状の第１ケース部材４２の一方の短辺部４７の内側には被覆壁４７１が段差状の外シール面４７２をもって立設されており、他方の短辺部４８の内側には被覆壁４８１が段差状の外シール面４８２をもって立設されている。一方の長辺部５３の内側には被覆壁５３１，５３２が段差状の外シール面５３３をもって立設されており、他方の長辺部５４の内側には被覆壁５４１，５４２が段差状の外シール面５４３をもって立設されている。
【００３０】
第１ケース部材４２の底部には連絡凹部５２Ｕ，５２Ｖ，５２Ｗが形成されている。連絡凹部５２Ｕ，５２Ｖ，５２Ｗは、挿通孔４９Ｕ，４９Ｖ，４９Ｗを介して筒部４２１Ｕ，４２１Ｖ，４２１Ｗの筒内に１対１に連通している。導電ピン３５Ｕ，３５Ｖ，３５Ｗは、筒部４２１Ｕ，４２１Ｖ，４２１Ｗの筒内を介して挿通孔４９Ｕ，４９Ｖ，４９Ｗに挿通されている。
【００３１】
第１ケース部材４２の底部には収容凹部５１Ｕ，５１Ｖ，５１Ｗが連絡凹部５２Ｕ，５２Ｖ，５２Ｗに連なるように形成されている。収容凹部５１Ｕ，５１Ｖ，５１Ｗには貫通孔形成凹部５０Ｕ，５０Ｖ，５０Ｗが連通されており、貫通孔形成凹部５０Ｕ，５０Ｖ，５０Ｗと挿通孔４９Ｕ，４９Ｖ，４９Ｗとは、収容凹部５１Ｕ，５１Ｖ，５１Ｗ及び連絡凹部５２Ｕ，５２Ｖ，５２Ｗを介して連通している。収容凹部５１Ｕ，５１Ｖ，５１Ｗの底には対フック５５がそれぞれ設けられている。
【００３２】
３つの貫通孔形成凹部５０Ｕ，５０Ｖ，５０Ｗ、収容凹部５１Ｕ，５１Ｖ，５１Ｗ及び連絡凹部５２Ｕ，５２Ｖ，５２Ｗは、長辺部５３，５４上の外シール面５３３，５４３と、一対の内シール面５６と、外シール面４７２，４８２とによって区画されている。長辺部５３，５４には被掛け止め片５７，５８が形成されている。内シール面５６上には第１凹条５６１が凹み形成されており、貫通孔形成凹部５０Ｕ，５０Ｖ，５０Ｗ上及び内シール面５６上には凹条５０１が第１凹条５６１と垂直な方向に延びるように凹み形成されている。
【００３３】
第２ケース部材４３は、第１ケース部材４２の被覆壁４７１，４８１，５３１，５３２，５４１，５４２内に嵌入可能な矩形形状に形成されている。第２ケース部材４３の内側には貫通孔形成凹部５９Ｕ，５９Ｖ，５９Ｗと収容凹部６０Ｕ，６０Ｖ，６０Ｗとが１対１に連なるように形成されている。貫通孔形成凹部５９Ｕ，５９Ｖ，５９Ｗ及び収容凹部６０Ｕ，６０Ｖ，６０Ｗにはコネクタ４０Ｕ，４０Ｖ，４０Ｗが挿入される。
【００３４】
貫通孔形成凹部５９Ｕ及び収容凹部６０Ｕと、貫通孔形成凹部５９Ｖ及び収容凹部６０Ｖと、貫通孔形成凹部５９Ｗ及び収容凹部６０Ｗとは、長辺側の一対の外シール面６１，６２と、短辺側の外シール面６３と、一対の内シール面６４とによって区画されている。一対の内シール面６４には第２凹条６４１が凹み形成されている。又、各長辺側には掛け止め片６５Ａ，６５Ｂが被掛け止め片５７，５８に掛け止め可能に形成されている。又、各長辺側には対の被掛け止め片６６Ａ，６６Ｂが掛け止め片６５Ａ，６５Ｂを間に置くように形成されている。
【００３５】
図５に示すように、第１ケース部材４２の被覆壁４７１，４８１の内面には複数の掛け止め孔４７３，４８３が形成されており、第２ケース部材４３の各短辺側には複数の掛け止め突起４３１，４３２が掛け止め孔４７３，４８３に掛け止め可能に形成されている。
【００３６】
被覆壁４７１，４８１，５３１，５３２，５４１，５４２内に第２ケース部材４３を嵌め込んだ状態では、複数の掛け止め突起４３１，４３２が複数の掛け止め孔４７３，４８３に１対１に掛け止められる。又、貫通孔形成凹部５０Ｕ，５０Ｖ，５０Ｗと貫通孔形成凹部５９Ｕ，５９Ｖ，５９Ｗとが対向して貫通孔６７Ｕ，６７Ｖ，６７Ｗを形成する。
【００３７】
図６に示すように、ゴム製の第１シール部材４４は、被覆壁４７１，４８１，５３１，５３２，５４１，５４２内に嵌入可能な矩形の枠形状に形成されている。第１シール部材４４の一方の短辺の枠辺部６８と他方の短辺の枠辺部６９との間には一対の第１相間シール部７０が枠辺部６８と枠辺部６９とに連なるように形成されている。一対の第１相間シール部７０は、第１シール部材４４の一対の長辺の第１側シール部７１及び第２側シール部７２と平行である。
【００３８】
図７に示すように、第２辺シール部である枠辺部６８には３つの半円シール部６８Ｕ，６８Ｖ，６８Ｗが形成されており、半円シール部６８Ｕ，６８Ｖ，６８Ｗの凸面側（裏面側）には凸条６８１が凹条５０１に嵌め込み可能に形成されている。枠辺部６９は、枠辺部６８の対辺となる第１辺シール部である。長辺の第１側シール部７１には掛け止め片７３Ａが被掛け止め片５７に掛け止め可能に形成されており、長辺の第２側シール部７２には掛け止め片７３Ｂが被掛け止め片５８に掛け止め可能に形成されている。
【００３９】
図６に示すように、ゴム製の第２シール部材４５は、被覆壁４７１，４８１，５３１，５３２，５４１，５４２内に嵌入可能な矩形の枠形状に形成されている。第２シール部材４５の一方の短辺の枠辺部７４と他方の短辺の枠辺部７５との間には一対の第２相間シール部７６が枠辺部７４と枠辺部７５とに連なるように形成されている。一対の第２相間シール部７６は、第２シール部材４５の一対の長辺の第３側シール部７７及び第４側シール部７８と平行である。第４辺シール部である枠辺部７４には３つの半円シール部７４Ｕ，７４Ｖ，７４Ｗが形成されている。枠辺部７５は、枠辺部７４の対辺となる第３辺シール部である。一対の長辺の第３側シール部７７及び第４側シール部７８には掛け止め片７９Ａ，７９Ｂが被掛け止め片６６Ａ，６６Ｂに掛け止め可能に形成されている。
【００４０】
図７に示すように、一対の第１相間シール部７０の裏面には第１凸条７０１が第１凹条５６１に嵌め込み可能に形成されている。一対の第２相間シール部７６の裏面には第２凸条７６１が第２凹条６４１に嵌め込み可能に形成されている。
【００４１】
第１シール部材４４と第２シール部材４５とは、第１半割シール部である半円シール部６８Ｕ，６８Ｖ，６８Ｗの凹面側と、第２半割シール部である半円シール部７４Ｕ，７４Ｖ，７４Ｗの凹面側とを対向させ、且つ一対の第１相間シール部７０と一対の第２相間シール部７６とを対向させた状態で重ね合わせられる。第１シール部材４４と第２シール部材４５とを重ね合わせた状態では、半円シール部６８Ｕ，６８Ｖ，６８Ｗと半円シール部７４Ｕ，７４Ｖ，７４Ｗとがシール筒部８０Ｕ，８０Ｖ，８０Ｗを形成する。
【００４２】
次に、導電ピン３５Ｕ，３５Ｖ，３５Ｗと内側導電部材３９Ｕ，３９Ｖ，３９Ｗとをコネクタ４０Ｕ，４０Ｖ，４０Ｗに連結して収納器４１にコネクタ４０Ｕ，４０Ｖ，４０Ｗを収納する手順を説明する。絶縁筒３４Ｕ，３４Ｖ，３４Ｗは、基板３１に予め挿通して固定されていると共に、導電ピン３５Ｕ，３５Ｖ，３５Ｗは、絶縁筒３４Ｕ，３４Ｖ，３４Ｗに予め挿通して固定されている。第１ケース部材４２と第２ケース部材４３とは分離したままである。
【００４３】
先ず、図８（ａ）に示すように、第１シール部材４４が第１ケース部材４２の被覆壁４７１，４８１，５３１，５３２，５４１，５４２内に嵌め込まれ、図８（ｂ）に示すように、第２シール部材４５が第２ケース部材４３のシール面６１，６２，６３，６４に接するように第２ケース部材４３に接合される。第１シール部材４４を第１ケース部材４２の被覆壁４７１，４８１，５３１，５３２，５４１，５４２内に嵌め込んだ状態では、掛け止め片７３Ａ，７３Ｂが被掛け止め片５７，５８に掛け止められる。又、第１凸条７０１が第１凹条５６１に嵌合されると共に、凸条６８１が凹条５０１に嵌合される。第２シール部材４５を第２ケース部材４３に接合した状態では、掛け止め片７９Ａ，７９Ｂが被掛け止め片６６Ａ，６６Ｂに掛け止められると共に、第２凸条７６１が第２凹条６４１に嵌合される。
【００４４】
次に、内側導電部材３９Ｕ，３９Ｖ，３９Ｗの芯線３９１に連結されたコネクタ４０Ｕ，４０Ｖ，４０Ｗが第１ケース部材４２の対フック５５間に嵌め込まれる。この状態では、絶縁皮膜３９２が第１シール部材４４の半円シール部６８Ｕ，６８Ｖ，６８Ｗに接する。
【００４５】
次に、第２ケース部材４３が第１ケース部材４２に接合される。この接合状態では、第１ケース部材４２が第２ケース部材４３の被覆壁４７１，４８１，５３１，５３２，５４１，５４２内に嵌め込まれると共に、掛け止め片６５Ａ，６５Ｂが被掛け止め片５７，５８に掛け止められる。掛け止め片６５Ａ，６５Ｂが被掛け止め片５７，５８に掛け止められた状態では、絶縁皮膜３９２が第１シール部材４４の半円シール部６８Ｕ，６８Ｖ，６８Ｗと第２シール部材４５の半円シール部７４Ｕ，７４Ｖ，７４Ｗとの間に挟み込まれる。
【００４６】
次に、筒状の第３シール部材４６Ｕ，４６Ｖ，４６Ｗが第１ケース部材４２の筒部４２１Ｕ，４２１Ｖ，４２１Ｗに嵌入される。そして、絶縁筒３４Ｕ，３４Ｖ，３４Ｗが第３シール部材４６Ｕ，４６Ｖ，４６Ｗの筒内から収納器４１内へ挿入されて導電ピン３５Ｕ，３５Ｖ，３５Ｗがコネクタ４０Ｕ，４０Ｖ，４０Ｗに嵌入連結される。第３シール部材４６Ｕ，４６Ｖ，４６Ｗは、絶縁筒３４Ｕ，３４Ｖ，３４Ｗの周囲をシールする。
【００４７】
コネクタ４０Ｕ，４０Ｖ，４０Ｗが収納器４１に収納された状態では、第１シール部材４４の第１側シール部７１及び第２シール部材４５の第３側シール部７７は、外シール面５３３，６１間に挟み込まれる。第１シール部材４４の第２側シール部７２及び第２シール部材４５の第４側シール部７８は、外シール面５４３，６２間に挟み込まれる。第１シール部材４４の枠辺部６９及び第２シール部材４５の枠辺部７５は、外シール面４７２，６３間に挟み込まれる。第１シール部材４４の半円シール部６８Ｕ，６８Ｖ，６８Ｗ及び第２シール部材４５の半円シール部７４Ｕ，７４Ｖ，７４Ｗは、貫通孔形成凹部５０Ｕ，５０Ｖ，５０Ｗと貫通孔形成凹部５９Ｕ，５９Ｖ，５９Ｗとの間に挟み込まれる。第１シール部材４４の第１相間シール部７０及び第２シール部材４５の第２相間シール部７６は、内シール面５６，６４間に挟み込まれる。
【００４８】
従って、第１シール部材４４及び第２シール部材４５は、第１ケース部材４２の周縁と第２ケース部材４３の周縁との間をシールし、隣り合うコネクタ４０Ｕ，４０Ｖ，４０Ｗが相間シール部７０，７６によって電気的に遮断される。
【００４９】
外シール面４７２，４８２，５３３，５４３、貫通孔形成凹部５０Ｕ，５０Ｖ，５０Ｗ、内シール面５６は、第１ケース部材４２における環状の第１対向シール面を構成する。外シール面６１，６２，６３、貫通孔形成凹部５９Ｕ，５９Ｖ，５９Ｗ、内シール面６４は、第２ケース部材４３における環状の第２対向シール面を構成する。
【００５０】
枠辺部６９、第１側シール部７１、第２側シール部７２及び半円シール部６８Ｕ，６８Ｖ，６８Ｗは、第１対向シール面に接合する環状の第１主シール部を構成する。枠辺部７５、第３側シール部７７、第４側シール部７８及び半円シール部７４Ｕ，７４Ｖ，７４Ｗは、第２対向シール面に接合する環状の第２主シール部を構成する。
【００５１】
第１の実施形態では以下の効果が得られる。
（１）第１シール部材４４及び第２シール部材４５は、第１ケース部材４２の周縁と第２ケース部材４３の周縁との間をシールする。そのため、液冷媒が収納器４１内へ侵入することはない。又、導電ピン３５Ｕ，３５Ｖ，３５Ｗと収納器４１との間が第３シール部材４６Ｕ，４６Ｖ，４６Ｗによってシールされている。つまり、収納器４１内のシール性が第１，２，３シール部材４４，４５，４６Ｕ，４６Ｖ，４６Ｗの介在によって高められている。
【００５２】
収納器４１内のシール性は、第１ケース部材４２と第２ケース部材４３との間に第１シール部材４４及び第２シール部材４５を置いて第１ケース部材４２と第２ケース部材４３とを重ねると共に、筒部４２１Ｕ，４２１Ｖ，４２１Ｗに第３シール部材４６Ｕ，４６Ｖ，４６Ｗを嵌入するという簡単な手間で得られる。従って、簡易な構成で外殻１４内での内側導電部材３９Ｕ，３９Ｖ，３９Ｗと導電ピン３５Ｕ，３５Ｖ，３５Ｗ（外側導電部材）との接続部（コネクタ４０Ｕ，４０Ｖ，４０Ｗ）におけるシール性を向上することができる。
【００５３】
（２）隣り合うコネクタ４０Ｕ，４０Ｖ，４０Ｗが相間シール部７０，７６によって電気的に遮断される。そのため、隣り合うコネクタ４０Ｕ，４０Ｖ，４０Ｗ間の絶縁性が高められ、隣り合うコネクタ４０Ｕ，４０Ｖ，４０Ｗ間での漏電が確実に防止される。
【００５４】
（３）第１シール部材４４と第２シール部材４５とを別体とした構成は、第１シール部材４４及び第２シール部材４５の製造を容易にする。
（４）第１シール部材４４及び第２シール部材４５をゴム製とした構成は、第１シール部材４４及び第２シール部材４５の弾性変形を大きくして第１ケース部材４２と第２ケース部材４３との間のシール性を向上する上で特に好適である。
【００５５】
（５）第１凸条７０１と第１凹条５６１とを嵌め合わせると共に、第２凸条７６１と第２凹条６４１とを嵌め合わせる構成は、相間の絶縁性を高める上で有効である。
本発明では以下のような実施形態も可能である。
【００５６】
○図９に示すように、第２シール部材４５Ａを第１シール部材４４と同形同大に形成してもよい。このような同形同大の構成は、第１シール部材４４及び第２シール部材４５Ａの部品共通化による製造コストの低減をもたらす。
【００５７】
○図１０に示すように、第１シール部材４４の枠辺部６９と第２シール部材４５の枠辺部７５とを直結するように第１シール部材４４と第２シール部材４５とを一体形成してもよい。
【００５８】
○図１１に示す第１シール部材４４Ｂ及び第２シール部材４５Ｂのように、第１の実施形態における第１シール部材４４の相間シール部７０及び第２シール部材４５の相間シール部７６を無くしてもよい。この場合にも、第１の実施形態における（１），（４）項と同様の効果が得られる。
【００５９】
○第１シール部材４４、第２シール部材４５及び第３シール部材４６Ｕ，４６Ｖ，４６Ｗの材料として軟質性の合成樹脂を用いてもよい。
前記した実施形態から把握できる技術思想について以下に記載する。
【００６０】
（イ）前記第１相間シール部には第１凸条が設けられており、前記第２相間シール部には第２凸条が設けられており、前記第１ケース部材には前記第１凸条を嵌合する第１凹条が設けられており、前記第２ケース部材には前記第２凸条を嵌合する第２凹条が設けられている請求項２に記載の電動圧縮機。
【００６１】
（ロ）前記第１シール部材と前記第２シール部材とは、同形同大である請求項３に記載の電動圧縮機。
（ハ）前記シール部材は、ゴム製である請求項１乃至請求項６、前記（イ），（ロ）項のいずれか１項に記載の電動圧縮機。
【符号の説明】
【００６２】
１０…電動圧縮機。１４…外殻。２９…電源としてのインバータ。３５Ｕ，３５Ｖ，３５Ｗ…外側導電部材としての導電ピン。３９Ｕ，３９Ｖ，３９Ｗ…内側導電部材。４０Ｕ…Ｕ相導電体を構成するコネクタ。４０Ｖ…Ｖ相導電体を構成するコネクタ。４０Ｗ…Ｗ相導電体を構成するコネクタ。４１…収納器。４２…第１ケース部材。４３…第２ケース部材。４４…第１シール部材。４５…第２シール部材。４６…第３シール部材。４７２，４８２，５３３，５４３…第１対向シール面を構成する外シール面。４９Ｕ，４９Ｖ，４９Ｗ…挿通孔。５０Ｕ，５０Ｖ，５０Ｗ…第１対向シール面を構成する貫通孔形成凹部。５６…第１対向シール面を構成する内シール面。５７，５８…被掛け止め片。５９Ｕ，５９Ｖ，５９Ｗ…第２対向シール面を構成する貫通孔形成凹部。６１，６２，６３…第２対向シール面を構成する外シール面。６４…第２対向シール面を構成する内シール面。６５Ａ，６５Ｂ…掛け止め片。６８…第１主シール部を構成する第１辺シール部である枠辺部。６８Ｕ，６８Ｖ，６８Ｗ…第１主シール部を構成する第１半割シール部である半円シール部。７０…第１相間シール部。７１…第１主シール部を構成する第１側シール部。７２…第２主シール部を構成する第２側シール部。７３Ａ…第１掛け止め片。７３Ｂ…第２掛け止め片。７４Ｕ，７４Ｖ，７４Ｗ…第２主シール部を構成する第２半割シール部である半円シール部。７５…第２主シール部を構成する第２辺シール部である枠辺部。７６…第２相間シール部。７７…第２主シール部を構成する第３側シール部。７８…第２主シール部を構成する第４側シール部。７９Ａ…第３掛け止め片。７９Ｂ…第４掛け止め片。８０Ｕ，８０Ｖ，８０Ｗ…シール筒部。Ｍ…電動モータ。
【図１】
0005494404.tif 000002
【図２】
0005494404.tif 000003
【図３】
0005494404.tif 000004
【図４】
0005494404.tif 000005
【図５】
0005494404.tif 000006
【図６】
0005494404.tif 000007
【図７】
0005494404.tif 000008
【図８】
0005494404.tif 000009
【図９】
0005494404.tif 000010
【図１０】
0005494404.tif 000011
【図１１】
0005494404.tif 000012